(57)【要約】【課題】簡単な構造により、繰り出された表示部の平面性を適切に維持することができると共に、取り扱いの良好な電気光学装置およびこれを備えた電子機器を提供することを課題とする。【解決手段】繰出しおよび巻取り可能に構成されたシート状の表示部２と、繰り出された表示部２の繰出し方向に沿う二辺１１，１１を支持する支持手段６と、を備え、支持手段６は、表示部２の繰出し動作および巻取り動作に伴い前記繰出し方向に伸縮する電気光学装置１である。支持手段６は、リンク機構４０や、入れ子式の支持ユニット１１１等で構成される。【選択図】図１
2010181899.tif 000002
【特許請求の範囲】
【請求項１】
繰出しおよび巻取り可能に構成されたシート状の表示部と、
繰り出された前記表示部の繰出し方向に沿う二辺を支持する支持手段と、を備え、
前記支持手段は、前記表示部の繰出し動作および巻取り動作に伴い、前記繰出し方向に伸縮する電気光学装置。
【請求項２】
前記支持手段は、前記表示部の繰出し方向に沿う二辺に対応して設けられた一対のリンク機構からなり、
前記各リンク機構は、相互に伸縮可能に連結された複数のリンクを有し、且つ当該複数のリンクが前記表示部の繰出し方向に沿う一辺を支持可能に構成されている請求項１に記載の電気光学装置。
【請求項３】
前記各リンク機構は、２つのリンクを備え、
前記２つのリンクは、前記表示部の繰出し動作に伴い、当該表示部の繰出し方向に沿う一辺に略平行に位置可能に構成されていると共に、前記表示部の巻取り動作に伴い、両リンクの連結部を支点として当該表示部の内側に相互に折畳み可能に構成されている請求項２に記載の電気光学装置。
【請求項４】
前記各リンク機構は、前記２つのリンクを連結する連結ピンと、前記２つのリンクの基部側に各々設けられる２つの固定ピンと、を有し、
前記連結ピンは、前記２つの固定ピンを結ぶ直線に対し前記表示部の内側に常時オフセット配置されている請求項３に記載の電気光学装置。
【請求項５】
前記各リンク機構は、前記複数のリンクを交差して連結した伸縮リンクからなる請求項２に記載の電気光学装置。
【請求項６】
前記支持手段は、平行リンク機構からなり、
前記平行リンク機構は、
前記表示部の繰出し方向に沿う一辺を支持可能に構成され、第１連結ピンを介して相互に連結された２つの第１リンクと、
前記表示部の繰出し方向に沿う他辺を支持可能に構成され、第２連結ピンを介して相互に連結された２つの第２リンクと、
前記繰出し方向に直交する方向において前記第１連結ピンおよび前記第２連結ピンを固定した移動プレートと、を有し、
前記２つの第１リンクおよび前記２つの第２リンクは、互いに平行に配置されると共に、前記表示部の繰出し動作および巻取り動作に伴い、前記繰出し方向に互いに平行に伸縮する請求項１に記載の電気光学装置。
【請求項７】
前記支持手段は、前記表示部の繰出し方向に沿う二辺に対応して設けられた一対の支持ユニットからなり、
前記各支持ユニットは、前記表示部の繰出し動作および巻取り動作に伴い伸縮可能に入れ子式で連結された複数の支持部材を有し、且つ当該複数の支持部材が前記表示部の繰出し方向に沿う一辺を支持可能に構成されている請求項１に記載の電気光学装置。
【請求項８】
繰出しおよび巻取り可能に構成されたシート状の表示部と、
前記表示部の繰出し方向に沿う二辺に設けられ、当該表示部と一体に繰出しおよび巻取り可能に構成されたシート状の一対の支持体と、を備え、
前記各支持体は、前記表示部の繰り出された状態で、当該表示部の法線方向に折り曲げ可能に構成されている電気光学装置。
【請求項９】
前記各支持体は、前記表示部と同程度の可撓性および同程度の厚みを有する請求項８に記載の電気光学装置。
【請求項１０】
請求項１乃至９のいずれか一項に記載の電気光学装置を備えた電子機器。
【発明の詳細な説明】
【技術分野】
【０００１】
本発明は、液晶表示装置等に代表され、シート状の表示部が繰出しおよび巻取り可能に構成された電気光学装置およびこれを備えた電子機器に関するものである。
【背景技術】
【０００２】
従来、この種の電気光学装置は、未使用時には表示部をロール状に巻取り収納し、使用に際して繰り出した表示部を平面状に位置させることで、いわゆるフラットパネルディスプレイとして機能するものである（例えば、特許文献１および２参照。）。この場合、表示部は、柔軟性を有しており、繰り出された状態では、その繰出し方向の終端側（すなわちロール体側）の一辺を除いて自由状態となっている。
【先行技術文献】
【特許文献】
【０００３】
【特許文献１】特開平１１−９５６９２号公報（第１図および第２図）
【特許文献２】特開２０００−１３２１２２号公報（第１図）
【発明の開示】
【発明が解決しようとする課題】
【０００４】
このような従来の電気光学装置では、柔軟性を有する表示部は、繰り出された状態において自重によりたるみ易かった。このため、ユーザにとっては、表示部の平面性を損なわないように、使用時に表示部を手で支持したり、あるいは別途付属品として用意した板状部材で表示部を支持させる必要があり、取扱いが煩雑であった。すなわち、前者の処置では他の機器等の作業性を低下させ、後者の処置では電気光学装置自体の携帯性を低下させていた。
【０００５】
本発明は、簡単な構造により、繰り出された表示部の平面性を適切に維持することができると共に、取り扱いの良好な電気光学装置およびこれを備えた電子機器を提供することをその目的としている。
【課題を解決するための手段】
【０００６】
本発明の電気光学装置は、繰出しおよび巻取り可能に構成されたシート状の表示部と、繰り出された表示部の繰出し方向に沿う二辺を支持する支持手段と、を備え、支持手段は、表示部の繰出し動作および巻取り動作に伴い、繰出し方向に伸縮するものである。
【０００７】
この構成によれば、表示部を繰り出すと、これに伴って支持手段が伸びて表示部の繰出し方向に沿う二辺を支持する。通常、表示部は繰出し方向の終端側の一辺は巻取り用に支持されているため、繰り出された表示部は、この一辺を含む少なくとも計３辺を支持され得る。これにより、繰り出された表示部のたるみを構造上好適に防止して、その平面性を適切に維持することができる。そして本構成は、表示部の長手方向と繰出し方向とが一致する場合に、特に有用となる。
また、支持手段は、表示部の巻取り動作に伴い縮むため、表示部を巻き取った時において支持手段自体によって装置スペースが広く占有されずに済む。これにより、電気光学装置自体を全体としてコンパクトにすることができる。さらに、支持手段が表示部の繰出し動作および巻取り動作に伴い伸縮する構成であるため、ユーザが別途支持部材を用意する等の必要もなくなり、電気光学装置自体の取扱い性を好適に高めることができる。
なお、支持手段による「支持」には、表示部の辺を例えば下側から支持することのみならず、これを挟持することにより支持することも含まれるし、また表示部の辺をその延在方向に亘って支持することのみならず、部分的に支持することも含まれる。
【０００８】
なお、電気光学装置とは、電気的作用によって発光する電気光学素子あるいは外部からの光の状態を変化させる電気光学素子を備えた表示装置一般をいい、例えば、液晶表示装置、有機ＥＬ表示装置、電子放出装置、ＰＤＰ装置および電気泳動表示装置等が挙げられる。
【０００９】
この場合、支持手段は、表示部の繰出し方向に沿う二辺に対応して設けられた一対のリンク機構からなり、各リンク機構は、相互に伸縮可能に連結された複数のリンクを有し、且つ複数のリンクが表示部の繰出し方向に沿う一辺を支持可能に構成されていることが、好ましい。
【００１０】
この構成によれば、構造が簡易となり易いリンク機構で支持手段を構成することができ、各リンク機構を構成する複数のリンクで表示部の一辺を支持することができる。
【００１１】
この場合、各リンク機構は、２つのリンクを備え、２つのリンクは、表示部の繰出し動作に伴い、表示部の繰出し方向に沿う一辺に略平行に位置可能に構成されていると共に、表示部の巻取り動作に伴い、両リンクの連結部を支点として表示部の内側に相互に折畳み可能に構成されていることが、好ましい。
【００１２】
この構成によれば、表示部を繰り出すと２つのリンクが略一直線状に位置して、表示部の繰出し方向に沿う一辺が支持される。逆に、表示部を巻き取ると２つのリンクは、表示部の外側へと突出されることなく、連結部を支点としてその内側に相互に折畳まれるように屈曲する。これにより、表示部を巻き取った時における電気光学装置の取扱い性をスペース上の観点から高めることができる。
【００１３】
この場合、各リンク機構は、２つのリンクを連結する連結ピンと、２つのリンクの基部側に各々設けられる２つの固定ピンと、を有し、連結ピンは、２つの固定ピンを結ぶ直線に対し表示部の内側に常時オフセット配置されていることが、好ましい。
【００１４】
この構成によれば、表示部の巻取り動作に伴い、２つのリンクは連結ピンにおいて表示部の内側に折畳まれる方向に分力が作用される。これにより、構造上、２つのリンクを表示部の内側に適切に折畳むことが可能となる。
【００１５】
同様に、各リンク機構は、複数のリンクを交差して連結した伸縮リンクからなることが、好ましい。
【００１６】
この構成によれば、リンク機構として伸縮リンク、すなわちパンタグラフを採用することで、表示部の繰出し方向に沿う一辺をその延在方向に亘って分散的・部分的に支持することが可能となる。
【００１７】
同様に、支持手段は、平行リンク機構からなり、平行リンク機構は、表示部の繰出し方向に沿う一辺を支持可能に構成され、第１連結ピンを介して相互に連結された２つの第１リンクと、表示部の繰出し方向に沿う他辺を支持可能に構成され、第２連結ピンを介して相互に連結された２つの第２リンクと、繰出し方向に直交する方向において第１連結ピンおよび第２連結ピンを固定した移動プレートと、を有し、２つの第１リンクおよび２つの第２リンクは、互いに平行に配置されると共に、表示部の繰出し動作および巻取り動作に伴い、繰出し方向に互いに平行に伸縮することが、好ましい。
【００１８】
この構成によれば、表示部を繰り出すと第１および第２の各２つのリンクが表示部の繰出し方向に沿う二辺を支持するところ、上記構成のように支持手段が平行リンク機構で構成されているため、支持手段の伸縮を適切に行うことができ、ひいては表示部の繰出し動作および巻取り動作も適切に行い得る。すなわち、表示部の繰り出し動作および巻取り動作に際して、表示部の斜行を好適に防止し得る。
【００１９】
同様に、支持手段は、表示部の繰出し方向に沿う二辺に対応して設けられた一対の支持ユニットからなり、各支持ユニットは、表示部の繰出し動作および巻取り動作に伴い伸縮可能に入れ子式で連結された複数の支持部材を有し、且つ複数の支持部材が表示部の繰出し方向に沿う一辺を支持可能に構成されていることが、好ましい。
【００２０】
この構成によれば、表示部を繰り出すと、複数の支持部材はその内側または外側のものから順次外部に進出するように伸びて、表示部の繰出し方向に沿う一辺を支持する。一方、表示部を巻き取ると、複数の支持部材はその内側または外側のものから順次内部に隠蔽されるように縮まる。このように、支持手段を単純な入れ子式の構造で構成することで、表示部の繰出し方向に沿う二辺を適切に支持することができると共に、電気光学装置自体の取扱い性を好適に高めることができる。
【００２１】
本発明の他の電気光学装置は、繰出しおよび巻取り可能に構成されたシート状の表示部と、表示部の繰出し方向に沿う二辺に設けられ、表示部と一体に繰出しおよび巻取り可能に構成されたシート状の一対の支持体と、を備え、各支持体は、表示部の繰り出された状態で、表示部の法線方向に折り曲げ可能に構成されているものである。
【００２２】
この構成によれば、表示部を繰り出すと、これと一体に一対の支持体が繰り出されるが、表示部の繰り出された状態で一対の支持体を表示部の法線方向折り曲げることで、表示部の繰出し方向に沿う二辺について、そのたるみ方向の剛性を高めることができる。これにより、繰り出された表示部は、巻取り用に支持される繰出し方向の終端側の一辺を含む少なくとも計３辺を支持され得るため、たるみが好適に抑制されて、その平面性が構造上適切に維持される。また、各支持体を元の状態に折り曲げて、表示部を巻き取ると、これと一体に各支持体も巻き取られる。このため、表示部を巻き取った状態において、各支持体によって装置スペースが広く占有されずに済む。すなわち、上記と同様に、電気光学装置自体のコンパクト化および取扱い性の向上となり得る。
【００２３】
この場合、各支持体は、表示部と同程度の可撓性および同程度の厚みを有することが、好ましい。
【００２４】
この構成によれば、支持体の可撓性等に関する性状が表示部と略同じであるため、表示部および支持体の一体性を高めることができる。これにより、表示部および支持体の繰出し動作および巻取り動作を円滑に且つ安定して行うことができる。
【００２５】
本発明の電子機器は、上記した本発明の電気光学装置を備えたものである。
【００２６】
この構成によれば、取扱いの良好な電気光学装置を搭載した電子機器を提供することができる。なお、電子機器としては、例えば、携帯電話機、パーソナルコンピュータの他、各種の電気製品等がこれに該当する。
【発明の効果】
【００２７】
本発明の電気光学装置によれば、繰り出された表示部の繰出し方向に沿う二辺を簡易な構造により支持することができるため、繰り出された表示部の平面性を適切に維持して、表示部の視認性を高めることができると共に、特に作業性および携帯性などの取扱い性を高めることができる。
【００２８】
本発明の電子機器によれば、上記の電気光学装置を備えているため、表示部の視認性および取扱いに優れた電子機器を提供することができる。
【図面の簡単な説明】
【００２９】
【図１】本発明の実施例１に係る電気光学装置を模式的に示す斜視図である。
【図２】図１の側面図である。
【図３】図１の底面図であり、表示部が完全に繰り出された状態を示す図である。
【図４】図１の底面図であり、表示部が途中まで繰り出された状態を示す図である。
【図５】図１の底面図であり、表示部が完全に巻き取られた状態を示す図である。
【図６】本発明の実施例２に係る電気光学装置の底面図である。
【図７】本発明の実施例３に係る電気光学装置の底面図である。
【図８】本発明の実施例４に係る電気光学装置の底面図である。
【図９】本発明の実施例５に係る電気光学装置を搭載した電子機器を模式的に示す斜視図である。
【図１０】本発明の実施例６に係る電気光学装置を搭載した電子機器を模式的に示す平面図である。
【図１１】本発明の実施例７に係る電気光学装置を模式的に示す斜視図である。
【発明を実施するための形態】
【００３０】
以下、添付図面を参照して、本発明の好適な実施形態に係る電気光学装置およびこれを備えた電子機器について説明する。この電気光学装置は、ロール状に収納された表示部を繰り出して使用する表示装置であり、表示部を繰り出した使用状態で、表示部の平面性を構造上適切に保つことができるものである。
【実施例１】
【００３１】
図１および図２に示すように、電気光学装置１は、シート状の表示部２と、表示部２を繰出しおよび巻取り可能に巻回するロール３と、ロール３を内部に収納した収納ケース４と、表示部２の繰出し端に設けられた把持ケース５と、繰り出された表示部２の繰出し方向に沿う二辺１１，１１を支持する支持手段６と、を備えている。
【００３２】
表示部２は、例えばプラスチックで形成された基板を有し、全体として所定の厚みを有すると共に可撓性を有している。表示部２は、その表面（上面）側が各種情報を表示する表示領域として機能する。表示部２の表示方式としては、各種の方式を用いることができる。すなわち、電気光学装置１としては、液晶表示装置、有機ＥＬ表示装置、電子放出装置、ＰＤＰ装置および電気泳動表示装置等を利用することができる。
【００３３】
表示部２は、その繰出し方向の終端部がその延在方向（繰出し方向に直交する方向）に亘ってロール３に固定されている。また、表示部２は、その繰出し方向の始端部（繰出し端）が、その延在方向に亘って把持ケース５に固定されている。
【００３４】
把持ケース５は、箱型に形成されており、その内部には、表示部２を表示駆動させるドライバを有する駆動部２１と、駆動部２１を含め電気光学装置１全体を統括制御する制御部２２と、が組み込まれている。把持ケース５は、その内部において支持手段６の一部を固定していると共に、収納ケース４側の側面２４に、支持手段６の後述するリンク機構４０を収納するための第１収納口２５がスリット状に形成されている。
【００３５】
収納ケース４は、ドーム状の天面を有する箱型形状からなり、把持ケース５に対しやや大型に形成されて、その内部にロール３を回転可能に保持している。収納ケース４は、把持ケース５と同様に、その内部において支持手段６の一部を固定していると共に、把持ケース５側の側面３２に、支持手段６の後述するリンク機構４０を収納するための第２収納口３１がスリット状に形成されている。第２収納口３１は、ロール３に巻回された表示部２を収納ケース４外に繰り出すための繰出し口を兼ねている。
【００３６】
電気光学装置１の未使用時には、表示部２がロール３に巻回されて収納ケース４の内部に収納される（図５参照）。このとき、支持手段６は、第１収納口２５および第２収納口３１を介して収納ケース４および把持ケース５に収納され、電気光学装置１は、収納ケース４の側面３２が把持ケース５の側面２４に当接した状態となる。すなわち、電気光学装置１は、未使用時には、収納ケース４および把持ケース５を組み合わせた大きさまで、コンパクト化されるようになっている。
【００３７】
一方、電気光学装置１を使用する際には、収納ケース４から把持ケース５を引き離すようにする。すると、表示部２は、ロール３から収納ケース４外へと繰り出されていき、その表示領域が外部に視認可能に露出する。この表示部２の繰出し動作が完了すると、電気光学装置１は使用可能な状態となるが、このとき表示部２の四辺が、ロール３、把持ケース５および支持手段６により固定または支持されることにより、表示部２の平面性が適切に維持されるようになっている（後述する）。
【００３８】
なお、表示部２の繰出し動作は、手動で行うことができるが、モータ等のアクチュエータを用いて自動化してもよい。また、表示部２の巻取り動作は、同様に自動化できるが、例えばロール３を表示部２の巻取り方向に常時付勢するバネを収納ケース４に組み込むことで、表示部２の巻取り動作を実行するようにしてもよい。もっともこの場合には、繰り出された表示部２の状態を維持するロック機構が収納ケース４に設けられる。なお、収納ケース４および把持ケース５のサイズは任意であることは言うまでも無いし、もちろん収納ケース４側に制御部２２等を組み込んでもよい。
【００３９】
次に、図１ないし図５を参照して、支持手段６について詳述する。支持手段６は、表示部２の繰出し方向に沿う二辺１１，１１に対応した一対のリンク機構４０，４０からなり、各リンク機構４０は、表示部２の繰出し動作および巻取り動作に伴い、表示部２の繰出し方向に全体として伸縮可能に構成されている。
【００４０】
各リンク機構４０は、平面視略小判型状の２つのリンク４１，４２と、両リンク４１，４２を連結する連結ピン４３と、リンク４１の基部側に設けられ、リンク４１を収納ケース４に固定する固定ピン４４と、リンク４２の基部側に設けられ、リンク４２を把持ケース５に固定する固定ピン４５と、を有している。これら連結ピン４３、固定ピン４４および固定ピン４５は、各リンク機構４０の回り対偶を構成している。
【００４１】
リンク４１およびリンク４２は、同じ長さおよび形状からなり、表示部２の繰出し動作および巻取り動作に伴い、全体として伸縮する。すなわち、２つのリンク４１，４２は、表示部２の繰出し動作に伴い、表示部２の繰出し方向に沿う一辺１１の直下にこれに平行に位置して、表示部２の一辺１１を下側（裏面側）から支持する。
【００４２】
本実施例では、図１および図３に示すように、一直線上に並んだ２つのリンク４１，４２のそれぞれの外側の端面が、繰り出された表示部２の繰出し方向に沿う一辺１１の端面の略直下に位置するようになっている。そして、リンク４１，４２のうち、上側に位置するリンク４１が、表示部２の一辺１１を積極的に支持する。なお、この構成に代えて、繰り出された表示部２の繰出し方向に沿う一辺１１の端面が、一直線上に並んだ２つのリンク４１，４２の軸線上の直上部に臨むように構成してもよい。
【００４３】
一方、図４に示すように、表示部２の巻取り動作に伴い、リンク４１およびリンク４２は、連結ピン４３を支点として、表示部２の内側へと相互に折畳まれていく。この場合、構造上確実に、リンク４１，４２が表示部２の内側へと屈曲するように、リンク４１の基部側を第２収納口３１の開口縁部に接触可能に構成し、且つリンク４２の基部側を第１収納口２５の開口縁部に接触可能に構成しておくことが好ましい。
【００４４】
そして、巻取り動作が完了した最終段階では、図５に示すように、各リンク機構４０は連結ピン４３まわりの部位が収納ケース４および把持ケース５に跨って収納され、このとき上述したように、リンク４１は主として第２収納口３１を介して収納ケース４に収納され、リンク４２は主として第１収納口２５を介して把持ケース５に収納される。
【００４５】
以上のように、本実施例によれば、表示部２が繰り出された電気光学装置１の使用状態では、表示部２の繰出し方向に沿う対辺１１，１１は、一対のリンク機構４０，４０に部分的に支持される。またこの状態では、表示部２の残りの対辺は、収納ケース４および把持ケース５にそれぞれ固定されている。したがって、繰り出された表示部２の四辺について、固定を含む枠状の支持をすることができるため、繰り出された表示部２の平面性を構造上適切に維持することができる。
【００４６】
また、表示部２が巻き取られた電気光学装置１の未使用状態では、表示部２が収納ケース４にロール状に収納されると共に、各リンク機構４０が、表示部２の外側にはみ出すことなく、収納ケース４および把持ケース５との間で収納される。これにより、未使用状態の電気光学装置１の取扱い性をスペース上の観点からも高めることができる。なお、各リンク機構４０を構成するリンクの数を二つとして説明したが、もちろんこれに限るものではなく２以上の複数であってもよい。
【実施例２】
【００４７】
次に、図６を参照して、本発明の第２実施例に係る支持手段６について、第１実施例との相違点を中心に説明する。本実施例は、表示部２の巻取り動作の際に、２つのリンク４１，４２が表示部２の内側により好適に折畳まれるようにしたものである。具体的には、図６に示すように、第１実施例に対し、連結ピン４３による２つのリンク４１，４２の連結位置は表示部２の内側に僅かに偏心している。
【００４８】
すなわち、２つの固定ピン４４，４５を結ぶ直線に対し、連結ピン４３が表示部２の内側に常時オフセット配置されるようにしている。これにより、２つのリンク４１，４２は、繰り出された表示部２の一辺１１の直下に略平行に位置してこれを支持すると共に、巻取り動作に際して、連結ピン４３の位置において表示部２の内側に折畳まれる方向に分力が作用されることになる。したがって、リンク４１と第２収納口３１との間等に関連性を有しない場合であっても、有用となる。
【実施例３】
【００４９】
図７に示すように、第３実施例に係る支持手段６は、平行リンク機構で構成されている。平行リンク機構は、上記各実施例における一対のリンク機構４０，４０に加え、一対のリンク機構４０，４０の連結ピン４３，４３（第１連結ピンおよび第２連結ピン）を固定した移動プレート５１を更に備えたものである。
【００５０】
移動プレート５１は、収納ケース４と把持ケース５との間に設けられ、一対のリンク機構４０，４０を平行に配置する。収納ケース４および把持ケース５は、移動プレート５１に対応して外形形状が構成されている。すなわち、表示部２を巻き取った状態で、移動プレートが収納ケース４と把持ケース５との間に略隙間無く収まるように、両者は相互に相補的な形状で構成されている。
【００５１】
本実施例によれば、表示部２の繰出し動作および巻取り動作に伴い、一方のリンク機構４０のリンク４１およびリンク４２（２つの第１リンク）と、他方のリンク機構４０のリンク４１およびリンク４２（２つの第２リンク）は、相互に平行に伸縮する。これにより、支持手段６の繰出し方向の伸縮を全体として良好に行なうことができる。
【００５２】
また、各リンク機構４０の固定ピン４４，４５は、それぞれ収納ケース４および把持ケース５に固定されているため、収納ケース４から把持ケース５を離間させるような表示部２の繰出し動作に際しては、表示部２を斜行することなく適切に繰り出すことができると共に、収納ケース４に把持ケース５を接近させるような表示部２の巻取り動作に際しても、表示部２を斜行することなくロール３に適切に巻き取らせることができる。さらに、移動プレートによって、繰り出された表示部２の中央部も下側から支持することが可能となる。
【実施例４】
【００５３】
図８に示すように、第４実施例に係る支持手段６の一対のリンク機構４０，４０はそれぞれ、複数のリンク６１を交差して複数の連結ピン６２で連結した伸縮リンクで構成されている。各伸縮リンク４０はパンタグラフであり、収納ケース４側の２つのリンク６１，６１の基部にはそれぞれスライドピン６３，６３が設けられていると共に、把持ケース５側の２つのリンク６１，６１の基部にはそれぞれスライドピン６４，６４が設けられている。
【００５４】
収納ケース４には、一対の伸縮リンク４０，４０に対応して、その伸縮方向に直交する方向にスライドピン６３，６３を案内するためのスライド溝７１，７１が、各々設けられている。同様に、把持ケース５には、スライドピン６４，６４を案内するためのスライド溝７３，７４が、各々設けられている。したがって、各伸縮リンク４０の複数のリンク６１により、繰り出した表示部２の繰出し方向に沿う一辺１１をその延在方向に亘って分散的に且つ部分的に支持することができる。
【実施例５】
【００５５】
次に、図９を参照して、第５実施例に係る支持手段６について説明する。本実施例では、電気光学装置１を搭載した電子機器として、携帯電話機を例に説明する。同図に示すように、携帯電話機１００は、複数の数字キー１０１等が分散配置された本体部１０２に、上記した電気光学装置１の収納ケース４等が作り込まれている。そして、電気光学装置１の把持ケース５等が、本体部１０２に対し引出しおよび収納可能に設けられている。
【００５６】
支持手段６は、上記各実施例と異なる構成からなる。すなわち、支持手段６は、表示部２の繰出し方向に沿う二辺に対応した一対の支持ユニット１１１，１１１からなり、各支持ユニット１１１は、表示部２の繰出し動作および巻取り動作に伴い、繰出し方向に伸縮するように、入れ子式で連結された複数の支持部材１１２を有している。
【００５７】
複数の支持部材１１２は、本体部１０２側から把持ケース５側に向かってサイズが小さく構成されている。各支持部材１１２は、例えば断面「コ」字状に形成されており、表示部２の繰出し方向に沿う一辺１１を挟持可能に構成されている。複数の支持部材１１２のうち、最もサイズの大きい支持部材１１２は本体部１０２に固定され、最もサイズの小さい支持部材１１２は把持ケース５に固定されている。
【００５８】
本実施例によれば、表示部２の繰出し動作に伴い、各支持ユニット１１１は、サイズの大きい支持部材１１２からその他の支持部材１１２が引き出され、最終的に複数の支持部材１１２により表示部２の繰出し方向に沿う一辺１１を支持する。したがって、上記実施例と同様に、繰り出された表示部２の平面性を適切に保つことができ、携帯電話機１００について大きな表示領域を確保することができる。
【００５９】
また、表示部２の巻取り動作に伴い、各支持ユニット１１１はサイズの大きい支持部材１１２にその他の支持部材１１２が隠蔽されるように収納されていく。したがって、携帯電話機１００の通話時や待ち受け時等においては、大きな表示領域を有する表示部２を本体部１０２に収納しておくことができ、携帯電話機１００の保管・運搬等の管理が容易となる。
【実施例６】
【００６０】
本実施例は、第５実施例の変形例である。図１０に示すように、電気光学装置１は、携帯電話機１００の本体部１０２にアタッチメントして、適宜設けることができる。この場合例えば、携帯電話機１００の本体部１０２に設けたコネクタ部１２１と、電気光学装置１に設けたコネクタ部１２２とをケーブル１２３等により接続すると共に、本体部１０２の側面に電気光学装置１の収納ケース４を組み入れるようにする。本実施例によれば、電気光学装置１の汎用性を高めることができるようになる。なお、図１０は、表示部２を繰り出した状態を示している。
【実施例７】
【００６１】
次に、本発明の第７実施例について、図１１を参照して第１実施例との相違点を中心に説明する。図１１は、本実施例の電気光学装置１を第１実施例等に比べてより簡略して模式的に示した図である。同図に示すように、電気光学装置１は、第１実施例の支持手段６に代えて、表示部２と一体に繰出しおよび巻取り可能に構成された一対の支持体１３１，１３１を備えている。
【００６２】
各支持体１３１は、表示部２と同程度の可撓性および同程度の厚みを有している。また、各支持体１３１は、表示部２の繰出し方向に直交する方向に所定の幅を有し、表示部２の繰出し方向に沿う一辺１１に設けられている。各支持体１３１の長手方向の両端部は、自由状態となっており、一方の端部はロール３に所定の間隙を存して臨み、他方の端部は把持ケース５の側面２４に所定の間隙を存して臨んでいる。そして、各支持体１３１は、表示部２の繰り出された状態で、表示部２の法線方向に折り曲げ可能に構成されている。
【００６３】
したがって、表示部２をロール３に巻き取る場合には、表示部２と同一平面内に各支持体１３１を位置させる。これにより、表示部２と一体に各支持体１３１をロール３に巻回することができ、表示部２および各支持体１３１を収納ケース４内に収納することができる。一方、この状態から表示部２を繰り出すと、表示部２と一体に各支持体１３１がロール３から繰り出される。そして、表示部２が完全に繰り出された状態では、各支持体１３１は、表示部２の法線方向に折り曲げ可能となる。この状態で、一対の支持体１３１，１３１を表示部２の繰出し方向に沿う二辺から垂下するように折り曲げると、各支持体１３１の両端部は収納ケース４および把持ケース５のそれぞれの側面３２，２４に挟持されるように、これらに面する。
【００６４】
これにより、繰り出された表示部２の繰出し方向に沿う二辺については、下方へのたるみを抑制することができ、表示部２の平面性を構造上適切に維持することが可能となる。なお、実施例１において上記したように、表示部２の巻取り動作をバネで行なう場合にはロック機構が設けられるが、この一対の支持体１３１，１３１はロック機構の一部としても機能することができる。
【００６５】
なお、以上の各実施例で説明した表示部２は、各種表示データを積極的に表示させる機能のみならず、上記した特許文献１および２に記載されているように、データを書込み・消去可能な機能を併有させてもよい。
【符号の説明】
【００６６】
１・・・電気光学装置、２・・・表示部、６・・・支持手段、４０・・・リンク機構、４１，４２・・・リンク、４３・・・連結ピン、４４，４５・・・固定ピン、５１・・・移動プレート、６１・・・リンク、６２・・・連結ピン、１００・・・携帯電話機、１１１・・・支持ユニット、１１２・・・支持部材、１３１・・・支持体
【図１】
2010181899.tif 000003
【図２】
2010181899.tif 000004
【図３】
2010181899.tif 000005
【図４】
2010181899.tif 000006
【図５】
2010181899.tif 000007
【図６】
2010181899.tif 000008
【図７】
2010181899.tif 000009
【図８】
2010181899.tif 000010
【図９】
2010181899.tif 000011
【図１０】
2010181899.tif 000012
【図１１】
2010181899.tif 000013
【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
繰出しおよび巻取り可能に構成されたシート状の表示部と、
前記表示部の繰出し方向に沿う二辺に設けられ、当該表示部と一体に繰出しおよび巻取り可能に構成されたシート状の一対の支持体と、を備え、
前記各支持体は、前記表示部の繰り出された状態で、当該表示部の法線方向に折り曲げ可能に構成されている電気光学装置。
【請求項２】
前記各支持体は、前記表示部と同程度の可撓性および同程度の厚みを有する請求項１に記載の電気光学装置。